(57)【特許請求の範囲】
【請求項１】
それぞれ家具ユニット（２、３）に対して動くように配置され、家具駆動ユニットにより駆動されることができる少なくとも１つの家具部分（４、５）を含む、互いに対してある角度で配置される前記家具ユニット（２、３）内の家具駆動ユニットの電気接続システムにおいて、
前記家具ユニット（２、３）のそれぞれに対してそれぞれ１つの電気分配器（６、７）を備え、
前記電気分配器が、前記家具ユニット（２、３）上の少なくとも１つの家具駆動ユニットと電気的に結合され、
隣合う前記家具ユニット（２、３）の少なくとも前記電気分配器（６、７）が、制御信号の伝送のために互いの間を電気的に結合し、
前記電気分配器（６、７）のそれぞれが前記家具駆動ユニットを制御するための電気制御ユニット（１５）を備え、前記電気制御ユニット（１５）は、動きの重なる範囲を有する家具部分（４、５）を駆動する家具駆動ユニットの同時作動が全く許されないように構成されていることを特徴とする電気接続システム。
【請求項２】
すべての家具ユニット（２、３）の前記電気分配器が、互いの間で制御信号を伝送するために電気的に結合されていることを特徴とする、請求項１に記載の電気接続システム。
【請求項３】
前記電気制御ユニット（１５）が、１つの家具ユニット（２、３）の電気分配器（６、７）と電気的に結合される家具駆動ユニットの動作中に、別の家具ユニット（２、３）の電気分配器（６、７）と電気的に結合される家具駆動ユニットすべての動作を遮断するために、別の家具ユニット（２、３）の電気分配器（６、７）に遮断信号が送信されることができるように構成されていることを特徴とする、請求項１または２に記載の電気接続システム。
【請求項４】
前記電気制御ユニット（１５）が、制御回路として構成されていることを特徴とする、請求項１〜３のいずれか一項に記載の電気接続システム。
【請求項５】
前記電気分配器（６、７）の少なくとも１つが、別の電気部品と電気的に結合されることを特徴とする、請求項１〜４のいずれか一項に記載の電気接続システム。
【請求項６】
前記別の電気部品が、前記電気分配器（６、７）と電気的に結合される前記家具駆動ユニットの少なくとも１つの遠隔制御のための遠隔制御ユニットであることを特徴とする、請求項５に記載の電気接続システム。
【請求項７】
前記電気分配器（６、７）が、前記電気分配器（６、７）に接続される前記電気部品の電源用接続をさらに含むことを特徴とする、請求項５または６に記載の電気接続システム。
【請求項８】
前記電気分配器（６、７）間の電気的結合が、プラグインコネクタ要素、および前記電気分配器（６、７）のプラグインコネクタ要素に対応する前記プラグインコネクタ要素付きの電気ケーブルとして構成されることを特徴とする、請求項１〜７のいずれか一項に記載の電気接続システム。
【請求項９】
前記電気分配器（６、７）と前記家具駆動ユニットの間の電気的結合が、プラグインコネクタ要素、および前記電気分配器（６、７）および前記家具駆動ユニットのプラグインコネクタ要素に対応する前記プラグインコネクタ要素付きの電気ケーブルとして構成されることを特徴する、請求項１〜８のいずれか一項に記載の電気接続システム。
【請求項１０】
前記家具駆動ユニットをそれぞれの前記電気分配器（６、７）へ電気接続するための前記電気ケーブルの前記プラグインコネクタ要素の幾何学的形状が、隣合う電気分配器（６、７）間を電気接続するための前記電気ケーブルの前記プラグインコネクタ要素の幾何学的形状と異なることを特徴とする、請求項９に記載の電気接続システム。
【請求項１１】
前記電気分配器（６、７）間の電気的結合が、無線接続として構成されることを特徴とする、請求項１〜７のいずれか一項に記載の電気接続システム。
【請求項１２】
前記電気分配器（６、７）と前記家具駆動ユニットの間の電気的結合が、無線接続として構成されることを特徴とする、請求項１〜７のいずれか一項に記載の電気接続システム。
【請求項１３】
互いに対してある角度で配置される少なくとも２つの家具ユニット（２、３）と、電気的に駆動される家具駆動ユニットを使って前記家具ユニット（２、３）内で動かせ、少なくとも２つの可動の家具部分（４、５）の動きの範囲が重なる家具部分（４、５）とを含むコーナユニットであって、請求項１〜１２のいずれか一項による電気接続システムを備えることを特徴とするコーナユニット。
【請求項１４】
前記可動の家具部分（４、５）が、引き出し、扉、またはプラップとして構成されることを特徴とする、請求項１３に記載のコーナユニット。
【請求項１５】
前記電気接続システムが、前記家具ユニット（２、３）の底部側（１３）上に配置されることを特徴とする、請求項１３または１４に記載のコーナユニット。
【請求項１６】
互いに対してある角度で配置される家具ユニット（２、３）内の家具駆動ユニットの駆動機能を遮断する方法であって、
前記家具ユニット（２、３）は、
それぞれの家具ユニット（２、３）上で動くように配置され、家具駆動ユニットにより駆動されることができる少なくとも１つの家具部分（４、５）を備え、
第１の家具ユニット（２）上に配置される家具駆動ユニット（２４）が第１の電気分配器（６）と電気的に結合され、
第２の家具ユニット（３）上に配置される家具駆動ユニット（２５）が第２の電気分配器（７）と電気的に結合され、
互いに対してある角度で配置される前記家具ユニット（２、３）の前記第１および第２の電気分配器（６、７）が、制御信号を伝送するために電気的に結合され、
前記第１および第２の電気分配器（６、７）のそれぞれが前記家具駆動ユニット（２４，２５）を制御するための電気制御ユニット（１５）を備える、方法において、
ａ）前記第１の家具ユニット（２）内に配置される家具駆動ユニット（２４）の作動と同時に、この家具駆動ユニット（２４）から、この家具駆動ユニット（２４）と電気的に結合される前記第１の電気分配器（６）の前記電気制御ユニット（１５）に、遮断信号を送信する方法ステップと、
ｂ）前記遮断信号を送信した前記家具駆動ユニット（２４）と結合される前記第１の電気分配器（６）から、前記第１の電気分配器（６）と電気的に結合される第２の電気分配器（７）に、前記遮断信号をさらに送信する方法ステップと、
ｃ）前記第２の電気分配器（７）と電気的に結合され、家具駆動ユニット（２４）が前記遮断信号をトリガした家具部分（４）と動きの範囲が重なる家具部分（５）を駆動する家具駆動ユニット（２５）に、前記第２の電気分配器（７）の前記電気制御ユニット（１５）により遮断信号を送信する方法ステップと
を含む方法。
【請求項１７】
ステップｃ）で、前記第２の電気分配器（７）と電気的に結合されるすべての家具駆動ユニット（２５）が遮断されることを特徴とする、請求項１６に記載の方法。
【請求項１８】
ステップｂ）で前記第２の電気分配器（７）に送信される前記遮断信号が、前記第２の電気分配器（７）と電気的に結合される別の第３の電気分配器にさらに送信されることを特徴とする、請求項１６または１７に記載の方法。
【発明の詳細な説明】
【技術分野】
【０００１】
本発明は、請求項１のプリアンブルによる、互いに対してある角度で配置される家具ユニット内の家具駆動ユニットのための電気接続システム、請求項１３のプリアンブルによるコーナユニット、および請求項１６のプリアンブルによる、家具駆動ユニットを遮断する方法に関する。
【背景技術】
【０００２】
可動の家具部分を駆動するための家具駆動ユニット間の電気接続は、普通は共通主電源の形でのみ存在する。各可動の家具部分は、いつでも使用されることができ、このことは、各可動の家具部分は、それが固定される家具ユニットから引かれる、または引き出されることができることを意味する。
【０００３】
互いに対してある角度で配置される家具ユニットで、家具駆動ユニットにより電気的に駆動される可動の家具部分が配置される家具ユニットの場合、２つの家具駆動ユニットを同時にトリガ（起動）する場合、２つの家具駆動ユニットにより排出される可動の家具部分は、それらの家具の動きの領域が重なるとき、衝突する可能性が常にあり、これが、これらの家具部分への損傷につながることがある。衝突のこの可能性はまた、２つの可動の家具部分の一方が、互いに重なる動きの領域を有する家具ユニットからはるかに突き出るとき、および第２の可動の家具部分の家具駆動ユニットが、第１の家具ユニットに対してある角度で配置される第２の家具ユニットから第２の可動の家具部分を排出するような間にも発生する。
【発明の概要】
【発明が解決しようとする課題】
【０００４】
互いに対してある角度で配置される家具部分の衝突による損傷の可能性を防止する、互いにある角度で配置される家具ユニット内の家具駆動ユニットの電気接続システムを提供することが、本発明の目的である。
【０００５】
互いに対してある角度で配置される可動の家具部分の衝突による損傷の可能性がないコーナユニットを提供することが、本発明の別の目的である。
【０００６】
互いに対してある角度で配置される可動の家具部分の衝突を簡単な方法で防止することができる、家具駆動ユニットを遮断する方法を提供することが、本発明のさらに別の目的である。
【０００７】
これらの目的は、請求項１を特徴付ける部分による電気接続システムにより、請求項１３を特徴付ける部分によるコーナユニットにより、および請求項１６を特徴付ける部分による家具駆動ユニットを遮断する方法により達成される。
【課題を解決するための手段】
【０００８】
本発明による電気接続システムにより、隣合う家具ユニットの分配器間で制御信号の伝送が可能になり、その結果、分配器に結合される家具駆動ユニットの動作が、隣合う家具ユニットの分配器に結合される家具駆動ユニットの動作に影響を及ぼすことができ、動きが重なる領域を有する家具部分の衝突が、効果的に防止される。
【０００９】
隣合う分配器に関連する分配器の単純な接続部、および分配器と結合される駆動ユニットを介して、本発明による遮断方法により駆動ユニットの遮断が可能になる。
【００１０】
本発明の別の有利な成果が、従属クレームで特徴付けられる。
【００１１】
可動の家具部分への損傷は、可動の家具部分を駆動する家具駆動ユニットに、家具駆動ユニットの動作によりトリガされた遮断信号を発することにより効果的に防止される。なお、前記可動の家具部分の動きの領域は、第１の家具駆動により駆動される可動の家具部分の動く領域と重なる。
【００１２】
隣合う分配器の接続用プラグインコネクタ要素に関連して、プラグインコネクタ要素が、家具駆動ユニットとの電気接続用電気ケーブルにプラグインするために幾何学的に異なる方法で配置される結果として、そのような接続システムの適切な据え付けに、特別な専門知識が必要ない。指示を受けた人で十分であり、指示は、取扱説明書を読むことで十分であると見なされる。
【００１３】
互いの間の分配器間の電気的結合を無線接続として、および／または、分配器と家具駆動ユニットの間の電気的結合を無線接続として構成することで、そのような接続システムの簡単な据え付けが保証される。なぜなら、そのような結合は、自動的に作動される、または単にスイッチなどのスイッチを入れる装置を作動することにより作動される必要があるだけだからである。
【００１４】
以下、添付の図面を参照することにより実施形態が説明される。
【図面の簡単な説明】
【００１５】
【図１】可動の家具部分としての引き出しを有するコーナユニットの概略斜視図を示す。
【図２】家具駆動ユニットのための接続システムを有するコーナユニットの概略斜視図を示す。
【図３】本発明による接続システムの詳細な斜視図を示す。
【図４】本発明による接続システムの分配器の概略配列を示す。
【図５】本発明による接続システムの概略図を示す。
【発明を実施するための形態】
【００１６】
図面内の以下の指定では、上、下、左、右、前、後などの用語は、もっぱら例示図、および図内で選択された接続システムおよびコーナユニットの位置のことを述べており、このことは、そのような参照が様々な動作位置、または鏡像対称的解釈などにより変化し得ることを意味する。
【００１７】
図１は、コーナユニット１の概略を示す。コーナユニット１は、互いに対して角度αで配置され、かつ可動の家具部分４、５が引き出しの形で保持される２つの家具ユニット２、３からなる。角度αは、２つの家具ユニット２、３の前側により囲まれる角度を示し、家具ユニット２、３は、そこから引き出しが外へ動かされることができ、プラップが外へ折りたたまれることができ、または扉が前面から外へ開くことができる。家具ユニット２、３の前側で、引き出し、プラップ、または扉の組み合わせが可能である。この角度αは、普通は９０°である。しかし、角度α＜１８０°以下であれば、家具ユニットのどんな配置も可能である。
【００１８】
図１は、上記で説明された問題を示す。第１の引き出し５が第１の家具ユニット３から押し出されているとき、挿入された位置にある第２の引き出し４が、第１の家具ユニット３に対してある角度で配置される第２の家具ユニット２内に配置され、引き出し４が家具ユニット３から排出された位置にある間に、両方の引き出し４、５が起こり得る損傷を受けることなく、突き出している引き出し５と同じ面で、隣接する家具ユニット２から押し出されることができない。引き出しの代わりにプラップまたは扉が提供される変形形態で同じ問題が起こる。
【００１９】
図２は、家具ユニット２、３の底部側１３上に配置されることが好ましい本発明による電気接続システムを含む、本発明によるコーナユニットの一実施形態を示す。電気接続システムは、それぞれ家具ユニット２、３の一方の下方に取り付けられた２つの電気分配機６、７を含む。分配器６、７はそれぞれ、家具ユニット２、３内に動かせるようにはめ込まれた引き出し４、５を駆動する家具駆動ユニット２４、２５（図５に示される）と電気的に結合される。電気的結合は、家具ユニット２、３に取り付けられた分配機６、７と、上記家具ユニット２、３上に配置された家具駆動ユニット２４、２５との間のケーブル接続部８、９として構成されることが好ましい。
【００２０】
家具駆動ユニット２４、２５は、家具ユニット２、３の後壁上に垂直に配置されるレール２７に既知の方法で固定され（図５に示される）、家具ユニット２、３はまた、家具ユニット２、３に固定された電気分配器６、７と、家具駆動ユニット２４、２５との間のケーブル接続部８、９を収容する。
【００２１】
図３における部分的な拡大ではっきりと示されるように、隣合う家具ユニットの電気分配器はまた、互いの間を電気的に接続され、その結果、分配器６、７に接続される制御装置のための制御信号は、もう１つの分配器７、６に転送されることができる。
【００２２】
図４に示されるように、電気分配器６、７はそれぞれ電気制御ユニット１５を含み、このユニット１５は、第１の電気分配器６と電気的に結合される家具駆動ユニット２４の動作中に、少なくとも家具ユニット２５の動作を遮断するために、他方の家具ユニット３の電気分配器７に遮断信号が送信されるように設計されている。なお、これらの少なくとも家具ユニット２５は、第１の家具駆動ユニット２４により駆動される可動の家具部分４と動きの範囲が重なる可動の家具部分５を駆動する。重なる動きの領域を有する家具部分４、５を駆動する家具駆動ユニット２４、２５が同時に作動することはない。電気制御ユニット１５は、遮断信号を受信も送信もできるように構成され、その結果、分配器６、７それぞれで同じ制御ユニットが使用されることができる。
【００２３】
電気制御ユニット１５は、上記で説明された実施形態において、電気分配器６、７それぞれの中に一体化された制御回路として構成されることが好ましい。
【００２４】
これらの電気的結合はまた、家具ニット２、３に取り付けられる分配機６、７間のケーブル接続部１０として構成されることが好ましい。
【００２５】
分配器６、７はまた、分配器６、７が固定される家具ユニット２、３内に配置される家具駆動ユニット２４、２５との電気的結合のための接続部１６、１７を含む。分配器６、７は、別の分配器７、６との電気接続用接続部１９と、主電圧を別の分配器７、６に転送するための主電圧接続部１８と、予備接続部２０と、別の電気部品の接続用接続部２１とをさらに含むことが好ましい。そのような別の電気部品は、たとえば、分配器６、７に接続される家具駆動ユニットの遠隔制御のために分配器６、７上で使用される遠隔制御ユニットでもよい。
【００２６】
分配器６、７はまた、電源２６（図５に示される）から第１の分配器６へのケーブル１１を介して直流電圧として供給される主電源用接続部２２と、分配器６、７に接続される装置を動作させるための動作電圧に主電圧を変換するための電圧変成器２３とを含むことが好ましい。
【００２７】
分配器の接続部１６、１７、１８、１９、２０、２１、２２はそれぞれ、接続ケーブル８、９、１０上の対応するプラグインコネクタ要素と接続されることができるプラグインコネクタ要素として配置されることが好ましい。それぞれの分配器６、７上の家具駆動ユニットとの電気接続用電気ケーブルの接続のためのプラグインコネクタ要素の幾何学的形状は、互いの間の隣合う分配器６、７との電気接続用電気ケーブルの接続のためのプラグインコネクタ要素の幾何学的形状と異なることが好ましい。分配器６、７および家具ユニット上のプラグインコネクタ要素は、接続ソケットとして構成されることが好ましく、電気ケーブル８、９、１０上のプラグインコネクタ要素は、プラグとして構成される。一方では、分配器で異なる、もう１つの分配器との接続のための接続ソケットおよびケーブルプラグの幾何学的形状の結果、また他方では、家具駆動ユニットとの接続のための接続ソケットおよびケーブルプラグの幾何学的形状の結果、本発明による接続システムの簡単な据え付けが、互いに対してある角度で配置される何点もの家具で可能になり、据え付けはまた、電気技師として熟練されていない人により行われることもできる。
【００２８】
別の好ましい実施形態では、電気分配器６、７間の電気的結合、および／または電気分配器６、７と電気駆動ユニットの間の電気的結合が、装置上に配置されるそれぞれの送信機および受信機を使って、無線接続、特に赤外線接続、超音波接続、またはブルートゥース（Ｂｌｕｅｔｏｏｔｈ）（登録商標）接続として構成される。したがって、それぞれの接続ケーブルの敷設は、省かれることができ、本発明による接続システムの据え付けは、ケーブルが使用される実施形態と同じく簡単に行われることができる。
【００２９】
本発明による、互いに対してある角度で配置される家具ユニット２、３内の家具駆動ユニットの駆動機能を遮断する方法を実行するために、第１の家具ユニット２上に配置される家具駆動ユニット２４が、第１の電気分配器６と電気的に結合され、その結果、分配器６と結合される家具駆動ユニット２４の作動が、制御ユニット１５により記録されることができる。同様に、第２の家具ユニット３上に配置される家具駆動ユニット２５は、第２の電気分配器７と電気的に結合される。結合された分配器６、７間の制御信号の伝送が、互いに対してある角度で配置される家具ユニット２、３の第１の電気分配器６および第２の電気分配器７のその後の電気的結合で可能になる。したがって、家具ユニット２、３内での接続システムの据え付けが完成する。第１の方法ステップでは、第１の家具ユニット２内に配置される家具駆動ニット２４が作動されるとき、この家具ユニット２４により、遮断信号がこの家具駆動ユニット２４と電気的に結合される第１の分配器６に送信される。次の方法ステップでは、上記遮断信号は、上記第１の分配器６と電気的に結合される第２の分配器７に転送される。最後のステップでは、遮断信号は、上記分配器の制御ユニット１５を介して上記第２の分配器７と電気的に結合される少なくとも駆動ユニット２５の遮断をトリガする。その駆動ユニットは、駆動ユニット２４が遮断信号をトリガした家具部分４と動きの範囲が重なる家具部分５を駆動する。
【００３０】
逆に、第２の家具ユニット３内に配置される家具駆動ユニット２５、または家具駆動ユニットの１つが、最初に作動された場合、少なくとも駆動ユニット２４は上記で説明された方法ステップにより遮断される。駆動ユニット２４は、動きの範囲が家具部分５と重なる家具部分４を駆動する。
【００３１】
この方法の特別な実施形態では、上記第２の分配器７と電気的に結合されるすべての駆動ユニット２５が、前述の最後のステップで遮断される。したがって、制御ユニット１５は、さらにいっそう簡略化されることができる。
【００３２】
第２の方法ステップでは、第２の分配器７に送信される遮断信号は、上記の分配器７と電気的に結合される別の第３の分配器に転送されることが特に好ましい。その第３の分配器は、第３の家具ユニット（図示せず）上に動くように配列される家具部分（図示せず）を駆動する別の家具駆動ユニット（図示せず）と電気的に結合される。したがって、可動の家具部分が配列される家具ユニットのたとえばＵ型配列の結果として、動きの範囲が別の可動の家具部分４の動きの範囲と重なる、可動の家具部分への損傷の可能性が防止される。
【符号の説明】
【００３３】
１  コーナユニット
２  家具ユニット
３  家具ユニット
４  引き出し
５  引き出し
６  分配器
７  分配器
８  家具駆動ユニット用接続ケーブル
９  家具駆動ユニット用接続ケーブル
１０  分配機用接続ケーブル
１１  主接続ケーブル
１２  主接続ケーブル
１３  家具ユニットの底部側
１４  家具の脚
１５  制御ユニット
１６  家具駆動ユニット用接続ソケット
１７  家具駆動ユニット用接続ソケット
１８  主電圧伝送用プラグ
１９  分配器用接続ソケット
２０  別の電気部品用接続ソケット
２１  予備接続ソケット
２２  電源接続用プラグ
２３  電圧変成器
２４  家具駆動ユニット
２５  家具駆動ユニット
２６  電源
２７  レール
【図１】
0005524867.tif 000002
【図２】
0005524867.tif 000003
【図３】
0005524867.tif 000004
【図４】
0005524867.tif 000005
【図５】
0005524867.tif 000006